(57)【要約】【課題】  本考案は屋外、屋内において予測不能な事故、犯罪などを未然に防ぐと共にその様な事態に遭遇した際に迅速な救助を行う。【解決手段】  本考案は携帯型電波発信端末機により電波受信機本体を作動させ光と音で周辺に事故・犯罪などの発生を瞬時に知らせる事により、事故・犯罪発生時の迅速な対応を可能とします。又本考案設置の告知により、地域住民の防犯意識の向上、犯罪抑止効果に役立ちます。  山や海などレジャー地域では不意の遭難などに遭遇してしまった事実を瞬時に周辺に知らせることにより早期救出に役立つとともに遭難場所の特定にも役立ちます。【選択図】図２
0003122823.tif 000002
【実用新案登録請求の範囲】
【請求項１】
様々な形状・アイテムに組み込まれた端末無線発信機から発信した電波などを受信した無線受信機本体を作動させ警告灯と警報音などを用いて事故・犯罪などの発生を周辺に知らせる無線式警報システム
【考案の詳細な説明】
【技術分野】
【０００１】  本考案は、端末無線発信機の発信した電波などを受信した無線受信機本体が発光と音により警報する防犯警報システムに関するものである。
【背景技術】
【０００２】  屋内、屋外を問わず犯罪、事故等に遭遇する社会背景に対して、防犯対策に対して安価なシステムの開発の必要性。現在利用されている携帯防犯ブザーでは警報発生時でも周囲の狭い範囲へしか伝わらず気付く人間の数も少数なものとなってしまう可能性があり救助、目撃の十分な効力を発揮しづらいのは否めない状況です。屋内、室内に関しては家人、来訪者以外では犯罪、事故等の発生を発見する事すら出来ません。
【考案の開示】
【考案者が解決しようとする課題】
【０００３】  現在様々な防犯アイテムなどが開発、販売されていますが常に事故、犯罪等の危険と隣り合わせの社会となっており、実際に事故、犯罪が発生しても発見、発覚の遅れが事件解決を困難にしており、防犯ブザーを用いて対策を講じても実際には事故、犯罪等の目撃、阻止、事後処理、手配に対しては効力も弱く原因として防犯ブザー警報時、範囲の狭さ等の欠点がありブザーに気が付く人数の少ない場合もあり効果も上手く発揮できておりません。屋内に対しては殆ど効力を発揮出来ない可能性が大きく無力に近いと考えます。いかにより多くの人たちに事故、犯罪等の発生を迅速に知らせる方法を構築し防犯作用も得られようにする事が必要です。又、海・山・森林等で事故、遭難等に遭遇しても大抵の場合は、入山記録等や家人、知人の知らせや情報により対応し初動の遅れ、限られた情報で広範囲を捜索しなければいけないなど、人命にも関わる重大な事故に発展してしまいます。
【課題を解決する為の手段】
【０００４】  本考案は、専用機はもとより、防犯ブザー、キーホルダー、鍵、携帯電話等の携帯可能な端末機に無線発信機能を持たせる事により、一定区間毎に設置する無線受信機本体に電波などを送信し警報音、警告灯等を作動させる事で従来の防犯アイテムと比べより多くの人達に対して周辺で事故、犯罪等が発生した事を知らせる事で救助、救護、目撃等の効率を高められます。その効果の大きさにより大きな犯罪抑止効果を発揮し防犯システムとしての役目をも果たします。屋内型では家人、来訪者等が無くても迅速に事故、犯罪等の発生を周囲に知らせる事が出来、飛躍的に迅速な対応が可能となります。複合建築物や集合住宅等では受信機本体若しくは認識しやすい場所にディスプレイを設置する事により事故、犯罪発生場所、部屋番号などの表示も可能になり迅速な対応が可能となります。又、海、山、森林等での事故、遭難等の際にも現在家人、知人若しくは、入山記録等の情報を基に計画からの相違に対して判断していますが、本考案の利用により事故、遭難等へ遭遇した際に迅速な通報機能となり、発生現場の見当も範囲の絞込みを行う事ができ早期救出により人命救助に対して大きな効果が得られます。
【考案の効果】
【０００５】  上述の様に、本考案を活用する事により、事故、犯罪、遭難等有事などの際により多くの人達に瞬時に知らせる事ができ、救助、救援、救護、目撃等の効率を飛躍的に向上できます。警報の範囲の設定により現在は防犯ブザー等で周囲の限られた範囲にしか事故、犯罪等を認知して貰えなかった事が、周辺住民、通行人、自転車、自動車等の運転者同乗者などへの警報音、警告灯等の認識を促す事ができ逃亡者、逃亡車両等の識別、カメラ等の準備等の余裕も生まれる事があり早期対応、早期解決が期待できます。本考案を活用することにより、地域住民の防犯意識の向上特に児童、高齢者に対して地域住民などで見守る意識の育成・向上にも期待でき、本考案設置の告知により犯罪発生率の低下も十分に期待できると考えます。複合建築物や集合住宅等で活用する事により、屋内の密閉された空間での事故、犯罪に対しても迅速な対応が可能となり又、海、山、森林等で事故、遭難等へ遭遇した際にも迅速な対応が出来る事により、人命救助活動の円滑な運用、事故、遭難現場等の絞込みもでき救助などの作業に掛かる経費も大幅に低減できます。
【考案を実施する為の最良の形態】
【０００６】  端末無線発信機は安易に携帯可能な、専用機はもとより、防犯ブザー、キーホルダー、鍵、携帯電話等に専用無線発信機能を持たせる事により、より多くの人々に対し安価に供給できる事が良いと考えます。電波などの出力も法定範囲内で適切な効果を発揮でき、発生現場の絞込みが困難になるほど広範囲に電波が届く高出力では弊害も予測されてしまいますし、低出力によるコスト低減も必要です。設置場所によっては固定式の端末無線発信機を設置する事も必要と考えます。無線受信機本体は一体型、分離型など設置場所・方法、又は利用目的により大きさ形状、耐久性耐候性などを考慮し制作することがより目的に沿った効果を得る事ができます。電波受信機本体の電源は一般的なＡＣ電源、太陽電池・蓄電池併用など設置場所・方法に最適な組み合わせを選択することが必要です。複合建築物や集合住宅では電波受信機本体一体型若しくは別に連動のディスプレイを組み合わせ、事故・犯罪などの発生場所が特定できる機能を有します。
【実施例】
【０００７】  以下、添付図面に従って一実施例を説明します。「図１」は電波発信端末機で、素材形状などにこだわらず、日常生活で携帯可能な身近なものに電波発信機能を持たせる事を意図しています。「図２」は電波受信機本体の例で主な構成は１．の電波受信部、２．の警告灯、３．の警報機からなり、設置目的により４．のディスプレイを追加する場合があります。２．のａ・ｂ・ｃ、は警告灯の色を分ける場合で一箇所の警告灯で複数色を発光する場合発光部は一箇所で併用できます。各電波受信機本体の電源はＡＣ電源・太陽電池・蓄電池などの安定電源を使用します。【０００８】  使用方法の例１としましては、本考案設置エリアにて不審者・犯罪者・暴漢などと遭遇した場合に端末無線発信機スィッチを入れる事により、電波など到達距離内に設置されている無線受信機本体が作動。警告灯の光と警報機の音により近辺にて事故・犯罪などが発生したことを知らせます。事前に本考案を設置した旨を周辺住民などに対して告知しておく事により地域住民など複数の人間の監視・協力により、犯罪の未然防止、事故・犯罪発生時の早急な対応・目撃などを促します。【０００９】  本考案の実施例としましては上述の如き構成からなるものであるから、システムを導入することにより、事故・犯罪に対する迅速な対応はもちろんですが、設置の告知による犯罪の抑止に効果を発揮します。更には遭難救助目的に使用する事により、遭難時の迅速な対応、遭難エリア特定などの目的に使用することが可能です。
【図面の簡単な説明】
【００１０】
【図１】本考案に使用する様々な物に組み込める端末無線発信機の例です。
【図２】本考案に使用する無線受信機本体の組み合わせの例です。
【符号の説明】
【００１１】１．  無線受信部、アンテナ
２．  警告灯、発光部
３．  警報機
４．  ディスプレイ
【図１】
0003122823.tif 000003
【図２】
0003122823.tif 000004
【手続補正書】
【提出日】平成18年4月24日(2006.4.24)
【手続補正１】
【補正対象書類名】実用新案登録請求の範囲
【補正対象項目名】全文
【補正方法】変更
【補正の内容】
【実用新案登録請求の範囲】
【請求項１】
無線発信機能を備えた携帯可能な端末機と、
一定区間毎に設置可能であり、前記端末機から発せられた電波を受信する電波受信部を備えた無線受信機本体と、
を備えた無線式警報システムであって、
前記無線受信機本体には、電波受信部が前記端末機からの電波を受信したことを報知する警告灯及び警報機が設けられていることを特徴とする無線式警報システム。